(57)【特許請求の範囲】
【請求項１】
供給水を逆浸透膜濾過により透過水たる浄化水と非透過水たる濃縮水とに分離する逆浸透膜ユニットを備え、前記供給水として廃水が供給され、前記逆浸透膜ユニットから排出された浄化水を回収するように構成された浄化水回収装置であって、
前記供給水、前記濃縮水又は前記浄化水の不純度を測定する不純度測定装置の少なくとも一つと、前記浄化水を移送して前記供給水を希釈する希釈経路及び前記逆浸透膜ユニットを迂回させて前記供給水を濾過せずに該供給水を濃縮水として下流側に移送する迂回経路の少なくとも何れか一方の経路とを備え、前記不純度測定装置によって測定された測定値が基準値以上である若しくは基準値を超える場合に、前記希釈経路による希釈及び前記迂回経路による迂回の少なくとも何れか一方が実施されるように構成されていることを特徴とする浄化水回収装置。
【請求項２】
供給水を逆浸透膜濾過により透過水たる浄化水と非透過水たる濃縮水とに分離する逆浸透膜ユニットを流れ方向に複数段備え、最上流側の逆浸透膜ユニットは供給水として廃水が供給され、他の逆浸透膜ユニットは供給水として前段の逆浸透膜ユニットから排出された濃縮水が供給されるように配列され、浄化水が回収されるように構成された浄化水回収装置であって、
少なくとも何れか一の逆浸透膜ユニットにおいて供給される供給水、排出された濃縮水、又は排出された浄化水の不純度を測定する不純度測定装置の少なくとも一つと、浄化水又は廃水を移送して供給水を希釈する希釈経路及び逆浸透膜ユニットを迂回させて供給水を濾過せずに該供給水を濃縮水として下流側に移送する迂回経路の少なくとも何れか一方の経路とを備え、前記不純度測定装置によって測定された測定値が基準値以上である若しくは基準値を超える場合に、前記希釈経路による希釈及び前記迂回経路による迂回の少なくとも何れか一方が実施されるように構成されていることを特徴とする浄化水回収装置。
【請求項３】
供給水を逆浸透膜濾過により透過水と非透過水たる濃縮水とに分離する逆浸透膜ユニットを流れ方向に複数段備え、最上流側の逆浸透膜ユニットは供給水として廃水が供給され、他の逆浸透膜ユニットは供給水として前段の逆浸透膜ユニットから排出された透過水が供給されるように配列され、少なくとも何れか一の逆浸透膜ユニットからの透過水が浄化水として回収されるように構成された浄化水回収装置であって、
少なくとも何れか一の逆浸透膜ユニットについて供給される供給水、排出された濃縮水又は排出された透過水の不純度を測定する不純度測定装置の少なくとも一つと、該一の逆浸透膜ユニット若しくは他の逆浸透膜ユニットからの透過水又は濃縮水を移送して該透過水又は該濃縮水より上流側の供給水を希釈する希釈経路とを備え、前記不純度測定装置によって測定された測定値が基準値以上である若しくは基準値を超える場合に、前記希釈経路による希釈が実施されるように構成されていることを特徴とする浄化水回収装置。
【請求項４】
前記不純度測定装置は、電気伝導度、イオン濃度、塩濃度、総溶解性物質濃度、ｐＨ及びＯＲＰの何れかを測定する装置である請求項１乃至３の何れかに記載の浄化水回収装置。
【請求項５】
請求項１乃至４の何れかに記載の浄化水回収装置を用いて、廃水から浄化水を精製し回収することを特徴とする浄化水の回収方法。
【発明の詳細な説明】
【技術分野】
【０００１】
本発明は、逆浸透膜ユニットを備えた浄化水回収装置及びその装置を用いた浄化水の回収方法に関する。
【背景技術】
【０００２】
従来より、この種の浄化水回収装置は、海水の淡水化、鹹水の軟水化、一般生活用の純水の製造などに於いて使用されている（例えば、特許文献１）。
そして、この種の浄化水回収装置は、比較的高純度の浄化水を得ることができるという利点を有している。
【特許文献１】特開２００５−２７９６１４号公報
【発明の開示】
【発明が解決しようとする課題】
【０００３】
しかしながら、斯かる浄化水回収装置は、濾過される原水の逆浸透膜ユニットに供給される供給水（原水）の水質が悪化すると、それに応じて得られる浄化水の水質も悪化するという欠点を有しており、原水として、生活廃水、工場廃水等が使用される場合に於いては、安定して高純度の浄化水が得られないという問題を有している。
即ち、生活廃水、工場廃水等の廃水は、無機塩濃度が１日の間でも時間帯等によって数倍も異なるというぐらい変動の激しいものであり、それに比例して、浄化水の純度も変動することとなる。
【０００４】
斯かる問題点に鑑み、本発明は、生活廃水、工場廃水、ゴミ浸出水等の廃水であっても比較的安定して純度の高い浄化水をうることができる浄化水回収装置及び浄化水の回収方法を提供することを課題とするものである。
【課題を解決するための手段】
【０００５】
上記課題を解決すべく、本発明は、供給水を逆浸透膜濾過により透過水たる浄化水と非透過水たる濃縮水とに分離する逆浸透膜ユニットを備え、前記供給水として廃水が供給され、前記逆浸透膜ユニットから排出された浄化水を回収するように構成された浄化水回収装置であって、
前記供給水、前記濃縮水又は前記浄化水の不純度を測定する不純度測定装置の少なくとも一つと、前記浄化水を移送して前記供給水を希釈する希釈経路及び前記逆浸透膜ユニットを迂回させて前記供給水を濾過せずに該供給水を濃縮水として下流側に移送する迂回経路の少なくとも何れか一方の経路とを備え、前記不純度測定装置によって測定された測定値が基準値以上である若しくは基準値を超える場合に、前記希釈経路による希釈及び前記迂回経路による迂回の少なくとも何れか一方が実施されるように構成されていることを特徴とする浄化水回収装置を提供する。
【０００６】
また、本発明は、供給水を逆浸透膜濾過により透過水たる浄化水と非透過水たる濃縮水とに分離する逆浸透膜ユニットを流れ方向に複数段備え、最上流側の逆浸透膜ユニットは供給水として廃水が供給され、他の逆浸透膜ユニットは供給水として前段の逆浸透膜ユニットから排出された濃縮水が供給されるように配列され、浄化水が回収されるように構成された浄化水回収装置であって、
少なくとも何れか一の逆浸透膜ユニットにおいて供給される供給水、排出された濃縮水、又は排出された浄化水の不純度を測定する不純度測定装置の少なくとも一つと、浄化水又は廃水を移送して供給水を希釈する希釈経路及び逆浸透膜ユニットを迂回させて供給水を濾過せずに該供給水を濃縮水として下流側に移送する迂回経路の少なくとも何れか一方の経路とを備え、前記不純度測定装置によって測定された測定値が基準値以上である若しくは基準値を超える場合に、前記希釈経路による希釈及び前記迂回経路による迂回の少なくとも何れか一方が実施されるように構成されていることを特徴とする浄化水回収装置を提供する。
【０００７】
また、本発明は、供給水を逆浸透膜濾過により透過水と非透過水たる濃縮水とに分離する逆浸透膜ユニットを流れ方向に複数段備え、最上流側の逆浸透膜ユニットは供給水として廃水が供給され、他の逆浸透膜ユニットは供給水として前段の逆浸透膜ユニットから排出された透過水が供給されるように配列され、少なくとも何れか一の逆浸透膜ユニットからの透過水が浄化水として回収されるように構成された浄化水回収装置であって、
少なくとも何れか一の逆浸透膜ユニットについて供給される供給水、排出された濃縮水又は排出された透過水の不純度を測定する不純度測定装置の少なくとも一つと、該一の逆浸透膜ユニット若しくは他の逆浸透膜ユニットからの透過水又は濃縮水を移送して該透過水又は該濃縮水より上流側の供給水を希釈する希釈経路とを備え、前記不純度測定装置によって測定された測定値が基準値以上である若しくは基準値を超える場合に、前記希釈経路による希釈が実施されるように構成されていることを特徴とする浄化水回収装置を提供する。
【０００８】
更に、本発明は、斯かる浄化水回収装置を用いて、廃水から浄化水を精製し回収することを特徴とする浄化水の回収方法を提供する。
【０００９】
これらの浄化水回収装置及び浄化水の回収方法に於いては、廃水の不純度が高い場合、不純度測定装置にてその状況を把握することができ、それに応じて、少なくとも、希釈経路による希釈によって濾過される段階での供給水の水質を良好に維持すること又は迂回経路によって水質の悪化した供給水を濾過の対象から除外することができ、得られる浄化水の悪化を抑制することができる。
【発明の効果】
【００１０】
以上の通り、本発明によれば、生活廃水、工場廃水等の廃水であっても比較的安定して純度の高い浄化水をうることができる。
【発明を実施するための最良の形態】
【００１１】
以下、本発明の実施の形態について、図面を参照しつつ説明する。
【００１２】
第１実施形態
先ず、第１実施形態の浄化水回収装置について説明する。
図１は、第１実施形態の浄化水回収装置を示す概略図である。
図１に示すように、第１実施形態の浄化水回収装置は、供給水を逆浸透膜濾過により透過水たる浄化水Ｂと非透過水たる濃縮水Ｃとに分離する逆浸透膜ユニット１を備えて構成されている。
【００１３】
詳しくは、それぞれ水の流れ方向に対して縦列に連結された複数個の逆浸透膜ユニット１を備え、最上流側の逆浸透膜ユニット１は供給水として廃水Ａが供給され、他の逆浸透膜ユニット１は供給水として一つ前段の逆浸透膜ユニット１から排出された濃縮水Ｃが供給されるように配列され、各逆浸透膜ユニット１から排出される浄化水Ｂが回収されるように構成されている。
尚、図１の装置に於いては、供給水として廃水Ａが供給され、該廃水Ａを浄化水Ｂと濃縮水Ｃとに分離して排出する第１逆浸透膜ユニット１ａと、第１逆浸透膜ユニット１ａから排出された濃縮水Ｃが供給水として供給される第２逆浸透膜ユニット１ｂとを備え、双方の浄化水Ｂが回収され且つ第２逆浸透膜ユニット１ｂから排出された濃縮水Ｃが系外に若しくは濃縮水貯留槽（図示せず）に移送されるようになっている。
【００１４】
第１実施形態の浄化水回収装置は、複数の配管が備えられてなり、浄化水Ｂ又は濃縮水Ｃを移送する複数の経路４、５、６、７、８、９が形成されている。
該複数の経路４、５、６、７、８、９としては、各逆浸透膜ユニット１から排出された浄化水Ｂを移送する各浄化水移送経路４、６及び濃縮水Ｃを移送する各濃縮水移送経路５、７の他、任意の少なくとも何れか一の逆浸透膜ユニット１に供給される供給水（通常、前段の濃縮水Ｃ）を浄化水Ｂ又は廃水Ａで希釈するための浄化水移送希釈経路８と該供給水を逆浸透膜ユニット１に供給せずに逆浸透膜ユニット１から排出された濃縮水Ｃを移送するための濃縮水移送経路７に迂回させる迂回経路９とを備えている。
例えば、図１の装置に於いては、第１逆浸透膜ユニット１ａから浄化水貯留槽（図示せず）へ浄化水Ｂを送る第１浄化水移送経路４と、第１逆浸透膜ユニット１ａから濃縮水Ｃを第２逆浸透膜ユニット１ｂへ送る第１濃縮水移送経路５と、第２逆浸透膜ユニット１ｂから浄化水貯留槽（図示せず）へ浄化水Ｂを送る第２浄化水移送経路６と、第２逆浸透膜ユニット１ｂから濃縮水Ｃを系外若しくは濃縮水貯留槽（図示せず）へ送る第２濃縮水移送経路７と、第１逆浸透膜ユニット１ａから排出された濃縮水Ｃを浄化水Ｂで希釈すべく第１浄化水移送経路４及び第１濃縮水移送経路５を連通させる浄化水移送希釈経路８と、第１逆浸透膜ユニット１ａから排出された濃縮水Ｃを第２逆浸透膜ユニット１ｂに供給せずに第２濃縮水移送経路７に迂回させるべく第１濃縮水移送経路５及び第２濃縮水移送経路７を連通させる迂回経路９とを備えている。
【００１５】
また、第１実施形態の浄化水回収装置は、各経路４、５、６、７、８、９に、必要に応じてバルブが介装されており、各バルブの開閉操作によって流量、流路が決定されるバルブ機構を備えている。
例えば、図１の装置は、第１浄化水移送経路４、第２浄化水移送経路６、第１濃縮水移送経路５、第２濃縮水移送経路７、浄化水移送希釈経路８、及び迂回経路９に、それぞれ第１浄化水バルブ１１ａ、第２浄化水バルブ１１ｂ、第１濃縮水バルブ１２ａ、第２濃縮水バルブ１２ｂ、浄化水移送希釈経路バルブ１３、及び迂回経路バルブ１４が介装され、各バルブの開閉操作によって流路や流量が決定されるバルブ機構を備えている。
【００１６】
また、第１実施形態に於いては、前記一の逆浸透膜ユニット１について供給される供給水（通常、前段の濃縮水Ｃ）の不純度を測定する供給水不純度測定装置２０ａ、排出された濃縮水Ｃの不純度を測定する濃縮水不純度測定装置２０ｂ、排出された浄化水Ｂの不純度を測定する浄化水不純度測定装置２０ｃの少なくとも何れか一の不純度測定装置２０を備えている。
更に、該不純度測定装置２０の不純度測定装置によって測定された測定値が基準値以上である若しくは基準値を超える場合に、すなわち、前記供給水不純度測定装置２０ａによって測定された測定値が供給水の基準値以上である若しくは基準値を超える場合、前記濃縮水不純度測定装置２０ｂによって測定された測定値が濃縮水の基準値以上である若しくは基準値を超える場合、及び前記浄化水不純度測定装置２０ｃによって測定された測定値が浄化水の基準値以上である若しくは基準値を超える場合の少なくとも何れか一の場合に、前記浄化水移送希釈経路８による前記一の逆浸透膜ユニット１に供給される供給水の希釈及び前記迂回経路９による前記一の逆浸透膜ユニット１の迂回の少なくとも何れか一方が実施されるように構成されている。
尚、図１に於いては、第２逆浸透膜ユニット１ｂに供給される供給水の不純度を測定する供給水不純度測定装置２０ａ、第２逆浸透膜ユニット１ｂから排出された濃縮水の不純度を測定する濃縮水不純度測定装置２０ｂ、及び第２逆浸透膜ユニット１ｂから排出された浄化水の不純度を測定する浄化水不純度測定装置２０ｃを備えた構成が図示されている。
【００１７】
更に、図１に於いては、該不純度測定装置２０の不純度測定装置によって測定された測定値が基準値以上である若しくは基準値を超える場合に、第１浄化水バルブ１１ａ、第１濃縮水バルブ１２ａ、第２浄化水バルブ１１ｂ、及び第２濃縮水バルブ１２ｂの少なくとも何れか一のバルブの開閉状態が調整されるように構成されている。
【００１８】
前記不純度測定装置２０としては、電気伝導度、イオン濃度、塩濃度、総溶解性物質濃度（ＴＤＳ）、ｐＨ又はＯＲＰを測定する装置等を挙げることができる。
好ましくは、逆浸透膜の処理性能の管理指標として電気伝導度は一般的であること、測定装置の維持管理の簡便性、測定の容易性等の観点から電気伝導度を測定する電気伝導度測定装置を挙げることができる。
【００１９】
前記浄化水移送希釈経路８による希釈及び前記迂回経路９による迂回の少なくとも何れか一方を実施するか否かの境界値である第１の基準値は、所定以上の純度の浄化水Ｂを得るという観点、若しくは、逆浸透膜に付着するスケールを抑制するという観点から決定されている。
例えば、不純度の指標として電気伝導度を採用した場合に於いては、供給水の８０％以上を浄化水として回収する場合には、濃縮水における電気伝導度の基準値は５，０００μＳ／ｃｍ以下の範囲で設定されていることが好ましく、浄化水における電気伝導度の基準値は１，０００μＳ／ｃｍ以下の範囲で設定されていることが好ましい。また、例えば水道水レベルの浄化水を得る場合には、浄化水における電気伝導度の基準値は１００μＳ／ｃｍ以下の範囲で設定されていることが好ましい。
斯かる範囲であれば、十分に純度の高い浄化水Ｂを得ることができるとともに、逆浸透膜にスケールが付着する量も低減される。
【００２０】
第１実施形態に於いて、使用されうる廃水Ａとしては、特に限定されるものではないが、鉄鋼、食品、電力、電子、医薬、自動車等の工場廃水、生活廃水、ゴミ浸出水等を挙げることができる。
【００２１】
第１実施形態の浄化水回収装置は、上記の如く構成されてなるが、次に、斯かる浄化水回収装置を用いた第１実施形態の浄化水Ｂの回収方法について説明する。
【００２２】
第１実施形態に於いては、通常運転時では、廃水Ａを供給水として最上流側の逆浸透膜ユニット１に供給し、該逆浸透膜ユニット１で浄化水Ｂを濃縮水Ｃとに分離して、浄化水Ｂを浄化水移送経路４を介して浄化水貯留槽に移送し、濃縮水Ｃを順次次段の逆浸透膜ユニット１に供給水として供給し、順次下流側の逆浸透膜ユニット１から排出された浄化水Ｂを浄化水移送経路６を介して浄化水貯留槽に移送して回収する。
そして、最下流側の逆浸透膜ユニット１から排出された濃縮水Ｃを系外若しくは濃縮水貯留槽に移送する。
尚、図１の装置を用いる場合に於いては、廃水Ａを第１逆浸透膜ユニット１ａに供給し、該第１逆浸透膜ユニット１ａから排出された浄化水Ｂを浄化水貯留槽に移送し濃縮水Ｃを第２逆浸透膜ユニット１ｂに供給し、該第２逆浸透膜ユニット１ｂから排出された浄化水Ｂを浄化水貯留槽に移送し、濃縮水Ｃを系外若しくは濃縮水貯留槽に移送する。
【００２３】
このような通常運転時に於いては、供給水不純度測定装置２０ａにより少なくとも何れか一の逆浸透膜ユニット１に供給される供給水（図１では第１逆浸透膜ユニット１ａから排出された濃縮水Ｃ）の不純度、濃縮水不純度測定装置２０ｂにより少なくとも何れか一の逆浸透膜ユニット１から排出された濃縮水（図１では第２逆浸透膜ユニット１ｂから排出された濃縮水Ｃ）の不純度、及び浄化水不純度測定装置２０ｃにより少なくとも何れか一の逆浸透膜ユニット１から排出された浄化水（図１では第２逆浸透膜ユニット１ｂから排出された浄化水Ｂ）の不純度の少なくとも何れか一の不純度を定期的に若しくは継続的に測定しておく。
【００２４】
そして、測定値が第１の基準値以上である又は第１の基準値を超える場合には、浄化水移送希釈経路８による希釈及び迂回経路９による迂回の少なくとも何れか一方を実施する。
例えば、図１に示す装置を用いた場合に於いては、図２に示すように、浄化水移送希釈経路バルブ１３を開放して浄化水移送希釈経路８から浄化水Ｂを移送して濃縮水Ｃを所定の水準に希釈するか、図３に示すように、迂回経路バルブ１４を開放して迂回経路９を介して濃縮水Ｃを迂回させるか、図４に示すように、浄化水移送希釈経路バルブ１３を開放して浄化水移送希釈経路８から浄化水Ｂを移送して濃縮水Ｃを所定の水準に希釈し、且つ迂回経路バルブ１４を開放して迂回経路９を介して濃縮水Ｃを迂回させる。
更に、必要に応じて、測定値が第２の基準値以上である又は第２の基準値を超える場合には、例えば、図１に示す装置を用いた場合に於いては、第１浄化水バルブ１１ａ、第１濃縮水バルブ１２ａ、第２浄化水バルブ１１ｂ、及び第２濃縮水バルブ１２ｂの少なくとも何れか一のバルブを調整する。
斯かる操作をすることにより、逆浸透膜ユニット１内に於ける過度の濃縮を抑制して、膜へのスケール付着を抑制することもできる。
【００２５】
第２実施形態
次に、第２実施形態の浄化水回収装置及び浄化水Ｂの回収方法を説明する。
尚、第１実施形態と重複する説明は省略し、各部の名称及び図番は第１実施形態のものを適宜援用し、第２実施形態で特に説明のないものは、第１実施形態で説明したものと同じ内容とする。
図５は、第２実施形態の浄化水回収装置を示す概略図である。
図５に示すように、第２実施形態の浄化水回収装置は、供給水を逆浸透膜濾過により透過水と非透過水たる濃縮水Ｃとに分離する逆浸透膜ユニット１を備えて構成されている。
【００２６】
詳しくは、それぞれ水の流れ方向に対して縦列に連結された複数個の逆浸透膜ユニット１を備え、最上流側の逆浸透膜ユニット１は供給水として廃水Ａが供給され、他の逆浸透膜ユニット１は供給水として一つ前段の逆浸透膜ユニット１から排出された透過水が供給されるように配列され、少なくとも何れか一の逆浸透膜ユニット１から排出される透過水が浄化水として回収されるように構成されている。
尚、図５の装置に於いては、供給水として廃水Ａが供給され、該廃水Ａを透過水と濃縮水Ｃとに分離して排出する第１逆浸透膜ユニット１ａと、第１逆浸透膜ユニット１ａから排出された透過水が供給水として供給される第２逆浸透膜ユニット１ｂとを備え、第２逆浸透膜ユニット１ｂから排出された透過水が浄化水Ｂとして回収され且つ第１逆浸透膜ユニット１ａ及び第２逆浸透膜ユニット１ｂから排出された濃縮水Ｃが系外に若しくは濃縮水貯留槽（図示せず）に移送されるようになっている。
【００２７】
第２実施形態の浄化水回収装置は、複数の配管が備えられてなり、各逆浸透膜ユニット１から排出された透過水を次段の逆浸透膜ユニット１に移送する透過水移送経路３０と、少なくとも何れか一の逆浸透膜ユニット１からの透過水を移送して該透過水より上流側の供給水を希釈する透過水移送希釈経路３２と、少なくとも何れか一の逆浸透膜ユニット１からの濃縮水Ｃを移送して該濃縮水Ｃより上流側の供給水を希釈する濃縮水移送希釈経路３４とを備えている。
例えば、図５の装置に於いては、第１逆浸透膜ユニット１ａから排出された透過水を第２逆浸透膜ユニット１ｂに移送する第１透過水移送経路３０ａと、第２逆浸透膜ユニット１ｂから排出された透過水を浄化水として浄化水貯留槽（図示せず）に移送する第２透過水移送経路３０ｂと、第２逆浸透膜ユニット１ｂからの透過水を移送して第１逆浸透膜ユニット１ａの供給水を希釈する透過水移送希釈経路３２と、第２逆浸透膜ユニット１ｂからの濃縮水Ｃを移送して第１逆浸透膜ユニット１ａの供給水を希釈する濃縮水移送希釈経路３４とを備えている。
【００２８】
また、第２実施形態の浄化水回収装置は、各経路に、必要に応じてバルブが介装されており、各バルブの開閉操作によって流路や流量が決定されるバルブ機構を備えている。
例えば、図５の装置は、第１濃縮水移送経路５、第２濃縮水移送経路７、第１透過水移送経路３０ａ、第２透過水移送経路３０ｂ、透過水移送希釈経路３２、濃縮水移送希釈経路３４に、それぞれ第１濃縮水バルブ１２ｃ、第２濃縮水バルブ１２ｂ、第１透過水バルブ３１ａ、第２透過水バルブ３１ｂ、透過水移送希釈経路バルブ３３、濃縮水移送希釈経路バルブ３５が介装され、各バルブの開閉操作によって流路や流量が決定されるバルブ機構を備えている。
【００２９】
また、第２実施形態に於いては、前記一の逆浸透膜ユニット１において、供給される供給水（通常、前段の透過水）の不純度を測定する供給水不純度測定装置２０ｄ、排出された濃縮水Ｃの不純度を測定する濃縮水不純度測定装置２０ｂ、排出された透過水の不純度を測定する透過水不純度測定装置２０ｃの少なくとも何れか一の不純度測定装置２０を備えている。
更に、該不純度測定装置２０の不純度測定装置によって測定された測定値が基準値以上である若しくは基準値を超える場合に、すなわち、前記供給水不純度測定装置２０ｄによって測定された測定値が供給水の基準値以上である若しくは基準値を超える場合、前記濃縮水不純度測定装置２０ｂによって測定された測定値が濃縮水の基準値以上である若しくは基準値を超える場合、及び前記浄化水不純度測定装置２０ｃによって測定された測定値が浄化水の基準値以上である若しくは基準値を超える場合の少なくとも何れか一の場合に、透過水移送希釈経路３２及び濃縮水移送希釈経路３４の少なくとも何れか一方の希釈経路による前記一の逆浸透膜ユニット１の供給水の希釈が実施されるように構成されている。
尚、図５に於いては、第２逆浸透膜ユニット１ｂに供給される供給水の不純度を測定する供給水不純度測定装置２０ｄ、第２逆浸透膜ユニット１ｂから排出された濃縮水の不純度を測定する濃縮水不純度測定装置２０ｂ、及び第２逆浸透膜ユニット１ｂから排出された浄化水の不純度を測定する浄化水不純度測定装置２０ｃを備えた構成が図示されている。
【００３０】
更に、図５に於いては、該不純度測定装置２０の不純度測定装置によって測定された測定値が第２の基準値以上である若しくは第２の基準値を超える場合に、第１透過水バルブ３１ａ、第１濃縮水バルブ１２ｃ、第２透過水バルブ３１ｂ、及び第２濃縮水バルブ１２ｂの少なくとも何れか一のバルブの開閉状態が調整されるように構成されている。
【００３１】
前記透過水移送希釈経路３２及び前記濃縮水移送希釈経路３４の少なくとも一方による希釈を実施するか否かの境界値である第１の基準値は、所定以上の純度の浄化水Ｂを得るという観点、若しくは、逆浸透膜に付着するスケールを抑制するという観点から決定されている。
【００３２】
第２実施形態の浄化水回収装置は、上記の如く構成されてなるが、次に、斯かる浄化水回収装置を用いた第２実施形態の浄化水Ｂの回収方法について説明する。
【００３３】
第２実施形態に於いては、通常運転時では、廃水Ａを供給水として最上流側の逆浸透膜ユニット１に供給し、該逆浸透膜ユニット１で透過水を濃縮水Ｃとに分離して、濃縮水を濃縮水移送経路５、７を介して系外若しくは濃縮水貯留槽に移送し、透過水を透過水移送経路３０を介して順次次段の逆浸透膜ユニット１に供給水として供給し、順次下流側の逆浸透膜ユニット１から排出された透過水を浄化水Ｂとして透過水移送経路３０及び浄化水移送経路４を介して浄化水貯留槽に移送して回収する。
尚、図１の装置を用いる場合に於いては、廃水Ａを第１逆浸透膜ユニット１ａに供給し、該第１逆浸透膜ユニット１ａから排出された透過水を第２逆浸透膜ユニット１ｂに供給し、該第２逆浸透膜ユニット１ｂから排出された透過水を浄化水Ｂとして浄化水貯留槽に移送する。また、該第１逆浸透膜ユニット１ａから排出された濃縮水Ｃ及び該第２逆浸透膜ユニット１ｂから排出された濃縮水Ｃを系外若しくは濃縮水貯留槽に移送する。
【００３４】
このような通常運転時に於いては、供給水不純度測定装置２０ｄにより少なくとも何れか一の逆浸透膜ユニット１に供給される供給水（図５では第１逆浸透膜ユニット１ａから排出された透過水）の不純度、濃縮水不純度測定装置２０ｂにより少なくとも何れか一の逆浸透膜ユニット１から排出された濃縮水（図５では第２逆浸透膜ユニット１ｂから排出された濃縮水Ｃ）の不純度、及び浄化水不純度測定装置２０ｃにより少なくとも何れか一の逆浸透膜ユニット１から排出された透過水（図５では第２逆浸透膜ユニット１ｂから排出された透過水）の不純度の少なくとも何れか一の不純度を定期的に若しくは継続的に測定しておく。
【００３５】
そして、測定値が第１の基準値以上である又は第１の基準値を超える場合には、透過水移送希釈経路３２及び濃縮水移送希釈経路３４の少なくとも何れか一方による希釈を実施する。
例えば、図５に示す装置を用いた場合に於いては、図６に示すように、透過水移送希釈経路バルブ３３を開放して透過水移送希釈経路３２から透過水を移送して廃水Ａを所定の水準に希釈するか、図７に示すように、濃縮水移送希釈経路バルブ３５を開放して濃縮水移送希釈経路３４から濃縮水を移送して廃水Ａを所定の水準に希釈するか、図８に示すように、透過水移送希釈経路バルブ３３を開放して透過水移送希釈経路３２から透過水を移送し、且つ濃縮水移送希釈経路バルブ３５を開放して濃縮水移送希釈経路３４から濃縮水を移送して廃水Ａを所定の水準に希釈する。
更に、必要に応じて、測定値が第２の基準値以上である又は第２の基準値を超える場合には、例えば、図５に示す装置を用いた場合に於いては、第１透過水バルブ３１ａ、第１濃縮水バルブ１２ｃ、第２透過水バルブ３１ｂ、及び第２濃縮水バルブ１２ｂの少なくとも何れか一のバルブを調整する。
斯かる操作をすることにより、逆浸透膜ユニット１内に於ける過度の濃縮を抑制して、膜へのスケール付着を抑制することもできる。
【００３６】
他実施形態
第１、第２実施形態の浄化水回収装置及び浄化水Ｂの回収方法は、上記の通りであるが、本発明は第１、第２実施形態に限定されず、適宜設計変更可能である。
例えば、第１実施形態の浄化水回収装置は、浄化水移送希釈経路８と迂回経路９との両方を備えて構成されたが、本発明に於いては、何れか一方を備えるものであってもよい。
また、例えば、図１〜４に示した供給水不純度測定装置２０ａは、希釈経路の手前に図示されているが、本発明に於いては、希釈経路の下流側であってもよい。
また、例えば、第２実施形態の浄化水回収装置は、透過水移送希釈経路３２と濃縮水移送希釈経路３４との両方を備えて構成されたが、本発明に於いては、何れか一方を備えるものであってもよい。
【図面の簡単な説明】
【００３７】
【図１】一実施形態の浄化水回収装置及び浄化水の回収方法を示す概略図。
【図２】同実施形態の一状態を示す概略図。
【図３】同実施形態の一状態を示す概略図。
【図４】同実施形態の一状態を示す概略図。
【図５】他の実施形態の浄化水回収装置及び浄化水の回収方法を示す概略図。
【図６】同実施形態の一状態を示す概略図。
【図７】同実施形態の一状態を示す概略図。
【図８】同実施形態の一状態を示す概略図。
【符号の説明】
【００３８】
１・・・逆浸透膜ユニット、    ８・・・浄化水移送希釈経路、  ９・・・迂回経路、  ２０・・・不純度測定装置、    ３２・・・透過水移送希釈経路、  ３４・・・濃縮水移送希釈経路
Ａ・・・廃水、  Ｂ・・・浄化水、  Ｃ・・・濃縮水
【図１】
0005075597.tif 000002
【図２】
0005075597.tif 000003
【図３】
0005075597.tif 000004
【図４】
0005075597.tif 000005
【図５】
0005075597.tif 000006
【図６】
0005075597.tif 000007
【図７】
0005075597.tif 000008
【図８】
0005075597.tif 000009